(57)【特許請求の範囲】
【請求項１】
ムカデに食べさせる毒餌剤と、前記毒餌剤を収容する毒餌剤収容凹部と前記毒餌剤収容凹部の全周囲から外周側の載置面へ向って延設されて所定の傾斜角で取り囲み、ムカデが全周囲から前記毒餌剤に接近可能な傾斜部とを備えた容器本体と、を有するムカデ用毒餌剤入り容器であって、
前記傾斜部の頂部の高さを超え、かつ、前記傾斜部の傾斜角の延長線上に形成される仮想延長面を越えないように前記毒餌剤が前記毒餌剤収容凹部に収容されていることを特徴とするムカデ用毒餌剤入り容器。
【請求項２】
前記傾斜角が、前記容器本体を設置する載置面から４５°以下であることを特徴とする請求項１に記載のムカデ用毒餌剤入り容器。  
【発明の詳細な説明】
【技術分野】
【０００１】
本発明は、ムカデを効率的に毒餌剤に導き、食べさせることができるムカデ用毒餌剤入り容器に関する。
【背景技術】
【０００２】
ムカデは、林の落ち葉の中などに生息し、小型の虫などを捕食しており、日本では、本州、四国、九州に分布し、体長が６０〜８０ｍｍのアオズムカデや、本州〜南西諸島に分布し、体長が８０〜１５０ｍｍのトビズムカデが知られている。これらのムカデは、第１胴節に毒腺のある顎肢を持ち、これを用いて虫などを捕らえたり、敵から身を守ったりする。通常、ムカデは、上記のように林などに生息するが、自然環境の変化などによっては餌を求めるなどの目的で人家の庭や、家屋に侵入することがある。そのため、人が不用意にムカデに接触すると、ムカデに噛まれて、その際に毒による強い痛みを伴うことがある。
【０００３】
このような事情から、ムカデなどの節足動物が家屋などへ侵入することを防止するための節足動物忌避剤が知られている（例えば、特許文献１参照）。この節足動物忌避剤を、侵入の予想される場所に塗布などして使用すれば、人の生活環境への侵入を防止して、咬害を防ぐことが期待される。
【先行技術文献】
【特許文献】
【０００４】
【特許文献１】特開２００２−１４５７０４号公報
【発明の概要】
【発明が解決しようとする課題】
【０００５】
しかしながら、忌避剤による侵入の防止効果では必ずしも十分とは言えず、ムカデが忌避剤の間隙をすり抜けて人の生活環境へ侵入すれば接触することも起こり得る。そうすれば、ムカデとの接触による咬害が発生する可能性がある。そこで、ムカデが忌避剤の間隙をすり抜けないようにムカデが侵入しそうな広い範囲に忌避剤を予め処理することは、大変に手間がかかり、とても煩わしいものであった。
【０００６】
本発明は上記状況に鑑みてなされたもので、その目的は、ムカデを忌避させるのではなくて、ムカデに毒餌剤を食べさせて殺虫することができるムカデ用毒餌剤入り容器を提供することにある。
本発明に係るムカデ用毒餌剤入り容器は、ムカデの習性、行動についていろいろと研究をした結果、完成されたものである。
通常、アリやゴキブリなどは、地面や床などの平らな面に餌を置いておけば、集まってきてこれを食べる習性がある。ところがムカデは地面や床などの平らな面に餌を置いただけでは、この餌を食べないとの知見を得た。この習性、行動についてさらに追究したところ、ムカデは移動中に触角に餌が触れても餌とは認識せず、障害物と認識してこれを回避して進むような行動をとるからであると推察される。そこでムカデの触角が餌に触れずに口に触れるようにしたところ、ムカデは餌を食べることを見出した。本発明に係るムカデ用毒餌剤入り容器は、ムカデのこのような習性、行動に基づいてなされたものである。
【課題を解決するための手段】
【０００７】
本発明に係る上記目的は、下記構成（１）および（２）により達成される。
（１）ムカデに食べさせる毒餌剤と、前記毒餌剤を収容する毒餌剤収容凹部と前記毒餌剤収容凹部の全周囲から外周側の載置面へ向って延設されて所定の傾斜角で取り囲み、ムカデが全周囲から前記毒餌剤に接近可能な傾斜部とを備えた容器本体と、を有するムカデ用毒餌剤入り容器であって、前記傾斜部の頂部の高さを超え、かつ、前記傾斜部の傾斜角の延長線上に形成される仮想延長面を越えないように前記毒餌剤が前記毒餌剤収容凹部に収容されていることを特徴とするムカデ用毒餌剤入り容器。
【０００８】
上記（１）の構成のムカデ用毒餌剤入り容器（以下、単に「容器」と略称する。）によれば、ムカデが容器の傾斜部に達するとその傾斜部を登り始めるので、ムカデの触角は斜め上方を向くことになる。ムカデはそのまま進むと、毒餌剤は傾斜部の傾斜角の延長線上に形成される仮想延長面を越えないように毒餌剤収容凹部に収容されているから、ムカデの触角が餌に触れないまま、ムカデの口が餌に近づく状態となるので、ムカデがその餌を食べることができる。
【０００９】
（２）  上記（１）の構成のムカデ用毒餌剤入り容器であって、前記傾斜角が、前記容器本体を設置する載置面から４５°以下であることを特徴とするムカデ用毒餌剤入り容器。
【００１０】
上記（２）の構成のムカデ用毒餌剤入り容器によれば、傾斜角が４５°以下の傾斜部なので、ムカデはこの傾斜部を登るようになる。したがって、ムカデはその触角が餌に触れないまま、ムカデの口に餌が近づく状態を作り出すことができる。
ところが、この傾斜部が６０°以上になると、ムカデの触角が傾斜部に当たるようになって、障害物と誤認して傾斜部を登らないことがある。
【発明の効果】
【００１１】
本発明に係るムカデ用毒餌剤入り容器によれば、このようにムカデを効率的に毒餌剤に導き、食べさせることができるので、庭や窓などの所期の場所に配置しておくだけで、簡単に、効果的にムカデを防除することができる。
【００１２】
以上、本発明について簡潔に説明したが、以下で本発明を実施するための形態（以下、「実施形態」という。）について、図面を参照して詳しく説明する。
【図面の簡単な説明】
【００１３】
【図１】ムカデの習性、行動を説明するための図であり、ムカデの触角に触れる餌をムカデは食べない状態を示す図である。
【図２】本発明の一実施形態に係るムカデ用毒餌剤入り容器の分解斜視図である。
【図３】図２に示したムカデ用毒餌剤入り容器の組立斜視図及び正面図である。
【図４】図２に示した屋根体を下側から見た下面図である。
【図５】本発明に係るムカデ用毒餌剤入り容器における、容器の傾斜部と餌とムカデの触角とムカデの口の位置関係を説明するための図である。
【図６】（ａ）は毒餌剤の本発明に係る収容の仕方を傾斜角の異なる２種類の傾斜部について説明する図で、（ｂ）はムカデが食べない収容の仕方を傾斜角の異なる２種類の傾斜部について説明する図である。
【発明を実施するための形態】
【００１４】
以下、本発明に係る実施形態を図面を参照して説明する。
図１に示すように、ムカデ１３は、頭部２３の先端に一対の触角１５を有する。頭部２３の後方には複数の胴節２５が連なり、それぞれの胴節２５に一対の歩肢２７を両側に有する。また、第１胴節２９には、毒腺（図示略）のある一対の顎肢３１を有する。
そして、ムカデ１３の習性、行動を研究した結果、歩肢２７によって載置面（床や地面）１９を移動するムカデ１３は、ムカデ１３の好物の餌剤１１ａの場合であっても、餌剤１１ａに最初に触角１５が触れると、ムカデ１３は回避する行動を示して餌剤１１ａを食べようとはしない。
【００１５】
さらに追求したところ、ムカデ１３はその触角先端部２１が餌剤１１ａに触れても餌剤１１ａと認識せず、障害物と認識してこれを回避して進むからであり、ムカデ１３の触角１５が餌剤１１ａに触れないで進み、最初にムカデ１３の口１７に餌剤１１ａが触れると餌剤１１ａであると認識するからではないか、と推察される。
そこで、本発明に係るムカデ用毒餌剤入り容器３３は、ムカデ１３のこのような習性、行動に基づいて、ムカデ１３の触角１５が餌剤１１ａに触れないで、最初にムカデ１３の口１７に餌剤１１ａが触れるように創意工夫したものである。
【００１６】
図２〜図４に基づいて、本発明の一実施形態に係るムカデ用毒餌剤入り容器３３を説明する。
本実施形態に係るムカデ用毒餌剤入り容器３３は、容器本体３７と、容器本体３７の上を覆う屋根体３５とを有する。容器本体３７は、餌である毒餌剤１１が収容された毒餌剤収容凹部３９と、毒餌剤収容凹部３９の全周囲から外周側の載置面１９へ所定の角度で延設される傾斜部６１と、を有する。
【００１７】
容器本体３７は、底板部４３の周囲に周壁部４５が起立する。本実施形態において、底板部４３は四角形に形成されている。図示例では、正方形となっている。周壁部４５は、この底板部４３の各辺に沿って連なることで、中央部に凹状の空間を形成する。この凹状の空間が、毒餌剤収容凹部３９となる。周壁部４５は、延在方向に直交する面の断面形状において、外側が歩行面部４１となり、内側が収容部内壁面部４７となる。歩行面部４１と収容部内壁面部４７との間には、僅かな幅で、底板部４３と平行な頂部平坦面４９が形成されている。
【００１８】
周壁部４５の４つの角部には、軸線が底板部４３に垂直となる屋根体支持軸５１が起立する。屋根体支持軸５１は、起立先端が先細りのテーパー軸５３となる。屋根体支持軸５１の基部は、上端面５５が頂部平坦面４９よりも高くなる。周壁部４５のそれぞれの角部には、頂部平坦面４９より起立して屋根体支持軸５１の基部の上端面５５と同じ高さとなる仕切壁５７が起立して設けられている。仕切壁５７は、底板部４３の対角線に沿う方向に形成されている。
【００１９】
毒餌剤収容凹部３９には、毒餌剤１１が収容される。毒餌剤１１は、誘引剤、賦形剤、誤食防止剤、防腐剤、ｐＨ調整剤などを含む。毒餌剤１１は、例えば、ジェル状の固体となる。毒餌剤１１は、傾斜部６１の傾斜角４５°の延長線上に形成される仮想延長面Ｓを越えないように配置される。
また毒餌剤上端面には、使用時には剥がされる保護フィルム（図示略）等を貼ることもできる。保護フィルムは、使用前における毒餌剤１１の乾燥や異物の接触による損傷を低減させる。勿論、毒餌剤１１を密封袋に収納し、使用時に開封して容器本体３７の毒餌剤収容凹部３９に収容することもできる。
【００２０】
また、毒餌剤収容凹部３９の底となる底板部４３には、放射方向に複数の固定壁５９が起立している。固定壁５９は、毒餌剤１１に埋入されることで、毒餌剤１１の容器本体３７に対する保持性を高めることができる。
【００２１】
本実施形態に係る容器本体３７は、毒餌剤収容凹部３９の全周囲から外周側の載置面である載置面１９へ延設される歩行面部４１が、載置面１９から毒餌剤１１に向かって上り傾斜を有する傾斜部６１であり、傾斜部６１の頂部に頂部平坦面４９が形成されている。この頂部平坦面４９は、上述した保護フィルムを容器本体３７に貼る際の貼代となるもので、その幅が１０ｍｍ以下とするのがよい。幅が１０ｍｍを超えると、ムカデ１３の頭部２３が頂部平坦面４９に達した際に触角１５が水平を向いてしまい、回避する行動をとる可能性がある。勿論、本実施形態では、歩行面部４１が頂部平坦面４９を有するが、頂部平坦面４９は省略されてもよい。また、歩行面部４１の高さＬは、４〜１０ｍｍ程度が好ましい。
【００２２】
容器本体３７の上を覆う屋根体３５は、底板部４３と略同一サイズの正方形に形成される。屋根体３５の上面は、中央部から各辺部に向かって傾斜勾配を有して形成される。これにより、雨水等が良好に排水される。屋根体３５の下面のそれぞれの角部には、円筒状の支柱部６５が垂設されている。図４に示すように、支柱部６５の下面開口穴６７には、容器本体３７における屋根体支持軸５１のテーパー軸５３が挿入される。屋根体３５は、それぞれの支柱部６５が、屋根体支持軸５１に嵌合することで、容器本体３７と一体となって屋根を構成する。
【００２３】
屋根体３５には支柱部６５に接続する屋根体側仕切壁６９が、容器本体３７の仕切壁５７に一致するようにして垂設されている。従って、屋根体３５が容器本体３７と一体に組み付けられると、図３の（ａ），（ｂ）に示すように、屋根体３５と容器本体３７との間には、屋根体３５と頂部平坦面４９とによって上下が挟まれ、仕切壁５７及び屋根体側仕切壁６９によって左右が挟まれる四角形の侵入口７１が各辺に形成される。ここで、侵入口７１は、２０ｍｍ以上の侵入口幅Ｗと、１０ｍｍ以上の高さＡと、を有することが望ましい。
【００２４】
容器本体３７及び屋根体３５は、それぞれが合成樹脂（例えば、ポリエチレン、ポリプロピレン、ポリエステル、ポリスチレン、ポリカーボネートなど）からなり、透明・半透明・不透明のいずれでもよい。容器本体３７と屋根体３５では、材質が異なってもよい。
また、合成樹脂には、帯電防止剤・紫外線防止剤・防黴剤などの各種添加剤を添加してもよい。
容器本体３７及び屋根体３５の形状及びサイズは、特に限定されず、図例の正方形の他、長方形・円形・楕円形などであってもよい。屋根体３５は、ドーム状・逆椀状などとしてもよい。
容器本体３７と屋根体３５との接合は、上記の嵌合構造の他、超音波熔着や薄肉ヒンジによる連結などとしてもよい。勿論、本実施形態に係るムカデ用毒餌剤入り容器３３は、屋内使用時など屋根体３５を外して使用することもできる。
【００２５】
次に、図５を用いて上記構成を有するムカデ用毒餌剤入り容器３３に収容する毒餌剤１１の効果的な収容の仕方を説明する。
図５において、容器本体３７は中央に毒餌剤１１を収容する毒餌剤収容凹部３９が設けられており、毒餌剤収容凹部３９の周囲を傾斜部６１が所定の傾斜角で取り囲んでいる。本実施の形態では、傾斜部６１の傾斜角θは４５°に形成されている。
毒餌剤収容凹部３９に収容される毒餌剤１１の量は、傾斜部６１の成す傾斜角４５°の延長線上に形成される仮想延長面Ｓ（本実施形態においては、四角錐状面）を越えないような量となっている。
このようにすることにより、傾斜角４５°の傾斜部６１をムカデ１３が登り始めると、傾斜があるため、ムカデ１３の頭部２３が傾斜部６１の頂部に接近しても触角先端部２１は毒餌剤１１に触れることはない。そして、ムカデ１３が頂部に到達したとき、ムカデ１３の口１７が毒餌剤１１へ接近することとなる。
【００２６】
図６は（ａ）における毒餌剤１１の効果的な収容の仕方と、（ｂ）における効果的でない収容の仕方を説明する図である。両図において、（１）は傾斜角が４５°の傾斜部６１の容器３３、（２）は傾斜角が４５°より小さい傾斜部６１の容器３３を示している。
図６の（ａ）（１）において、毒餌剤１１は容器３３の傾斜部６１の傾斜角４５°の延長線上に形成される仮想延長面Ｓを越えない量が設置されている。このようにすることで、ムカデ１３が傾斜部６１の頂部に到達したとき、ムカデ１３の触角先端部２１が毒餌剤１１に接触することなくムカデ１３の口１７が毒餌剤１１へ接近することとなるため、毒餌剤１１を食べる確率が高まる。
図６の（ａ）（２）において、容器３３は傾斜部６１の傾斜角が４５°よりも小さい容器を使った場合でも、毒餌剤１１は同じく延長線上に形成される仮想延長面Ｓを越えない量だけ設置されている。このようにすることで、ムカデ１３の口１７が最初に毒餌剤１１へ接近することとなるため、毒餌剤１１を食べる確率が高まる。
一方、図６の（ｂ）（１）においては、毒餌剤１１は容器３３の傾斜部６１の傾斜角４５°の延長線上に形成される仮想延長面Ｓを越えて多量の毒餌剤１１が設置されている。このようにすると、ムカデ１３が傾斜部６１の頂部に到達したとき、ムカデ１３の触角先端２１が毒餌剤１１に接触してしまい、ムカデ１３は忌避反応を示してしまい、図１のように毒餌剤１１食べようとしなくなる。
図６の（ｂ）（２）において、傾斜部６１の傾斜角が４５°よりも小さい容器３３を使った場合でも、毒餌剤１１は同じく延長線上に形成される仮想延長面Ｓを越えた量が設置されると、ムカデ１３の触角先端２１が毒餌剤１１に接触してしまい、ムカデ１３は忌避反応を示してしまい、毒餌剤１１食べなくなる。
【００２７】
また、本実施形態に係るムカデ用毒餌剤入り容器３３では、容器本体３７の上を覆う屋根体３５を備える。そこで、容器本体３７が、特に屋外に設置される場合には、屋根体３５を取り付けることで、雨や、土埃、落ち葉などの異物が毒餌剤収容凹部３９へ入ることを防止できる。これにより、毒餌剤１１の効力を長期間に渡って持続させることができる。
従って、本実施形態に係るムカデ用毒餌剤入り容器３３によれば、ムカデ１３に対する喫食性を飛躍的に向上させることができる。
【００２８】
ここで、上述した本発明に係るムカデ用毒餌剤入り容器の実施形態の特徴をそれぞれ以下に簡潔に纏めて列記する。
［１］  ムカデ１３に食べさせる毒餌剤１１と、前記毒餌剤１１を収容する毒餌剤収容凹部３９と前記毒餌剤収容凹部３９の周囲を所定の傾斜角で取り囲む傾斜部６１とを備えた容器本体３７と、を有するムカデ用毒餌剤入り容器３３であって、
前記傾斜部６１の傾斜角の延長線上に形成される仮想延長面Ｓを越えないように前記毒餌剤１１が前記毒餌剤収容凹部３９に収容されていることを特徴とするムカデ用毒餌剤入り容器３３。
［２］  上記[１]の構成のムカデ用毒餌剤入り容器３３であって、前記傾斜角が、前記容器本体３７を設置する載置面１９から４５°以下であることを特徴とするムカデ用毒餌剤入り容器３３。
【００２９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、上記実施形態においては、容器本体３７の底板部４３が四角形に形成されているため、傾斜部６１の傾斜角の延長線上に形成される仮想延長面Ｓが四角錐状面に形成されたが、底板部が円形に形成されている場合は仮想延長面Ｓが円錐状面に形成される。このように本発明の傾斜部及び仮想延長面は、本発明の趣旨に基づいて種々の形状を採りうることは勿論である。
【００３０】
（実施例）
次に、上記構成のムカデ用毒餌剤入り容器３３を用いた場合（図５参照）と、載置面１９上に上端部高さが７ｍｍの餌剤１１ａを直接設置した場合（図１参照）のムカデによる喫食の有無を調べた結果を説明する。
【００３１】
［餌剤処方］
餌剤１１ａの処方は、下記表１に示す通りとした。
【００３２】
【表１】
0006019010.tif 000002
【００３３】
［ムカデ用毒餌剤入り容器］
図３（ｂ）に示すように、侵入口７１の高さＡを１０ｍｍ、歩行面部４１の高さＬを７ｍｍ、侵入口７１の横幅Ｗを２０ｍｍとしたムカデ用毒餌剤入り容器３３を用いた。
そして、上記餌剤１１ａが傾斜部６１の成す傾斜角４５°の延長線上に形成される仮想延長面Ｓを越えないぎりぎりの量となるように上記餌剤１１ａを毒餌剤収容凹部３９に収容した。
【００３４】
［試験方法］
縦５０ｃｍ、横３０ｃｍ、高さ４０ｃｍのプラスチック製のバット内に土を敷き、検体（餌剤１１ａ、又はムカデ用毒餌剤入り容器３３に収容された餌剤１１ａ）をバットの壁に沿わして設置した。
アオズムカデ１匹をバットの中に静かに放ち、壁沿いに歩く様子を観察した。
検体に接触したとき、餌剤１１ａを食べるか否かを確認した。
その結果を下記表２に示す。なお、表２中の「×」は検体の餌剤１１ａに接触したが食べなかった場合を示し、「○」は検体の餌剤１１ａに接触し食べた場合を示す。
【００３５】
【表２】
0006019010.tif 000003
【００３６】
表２に示すように、載置面１９上に餌剤１１ａを直接設置した検体では、ｎ１〜ｎ６の６回の検体への接触に対し、食べた回数はわずか１回であった。
ムカデ用毒餌剤入り容器３３を用いた検体では、ｎ１〜ｎ６の６回の検体への接触に対し、食べた回数は６回であった。
載置面１９上に餌剤１１ａを直接設置した検体では、餌剤１１ａに触角先端部２１が触れることによる忌避反応で、食する回数が少なくなることが確認された。
ムカデ用毒餌剤入り容器３３を用いた検体では、触角先端部２１より先に口１７が餌剤１１ａに接触することで、食する回数が飛躍的に増加することが分かった。
【００３７】
［歩行面となる傾斜部の傾斜角について］
次に、検体である傾斜部の傾斜角度θを、１５°、３０°、４５°、６０°、９０°に変えてムカデ１３の傾斜部通過率を調べた。
縦５０ｃｍ、横３０ｃｍ、高さ４０ｃｍのプラスチック製のバット内に土を敷き、上記表１の処方の餌剤１１ａを頂部に置いたスロープ台をバットの壁に沿わして設置した。
スロープ台は、傾斜部の横幅が３０ｍｍ、長さ１００ｍｍとなるように発泡スチロール板を用いて作成した。
アオズムカデ１頭をバットの中に静かに放ち、ムカデ１３が検体であるスロープ台を通過する様子を観察した。
その結果を下記表３に示す。なお、表６中の「○」はスロープ台の傾斜部を登った場合を示し、「×」はスロープ台の傾斜部を登らずに脇へそれるか、引き返した場合を示す。
【００３８】
【表３】
0006019010.tif 000004
【００３９】
表３に示すように、スロープ角度θが、６０°以上の場合、傾斜部通過率が著しく低下した。
スロープ角度θは、６０°よりも小さく、望ましくは４５°以下であることが傾斜部通過率は高くなることが分かった。従って、容器本体３７における歩行面部４１の傾斜角度は、設置面から４５°以下であることが望ましい。
【００４０】
［餌剤の収容の仕方について］
次に、検体である餌剤１１の収容の仕方において、ムカデ用毒餌剤入り容器３３の傾斜部６１の傾斜角４５°の延長線上に形成される仮想延長面Ｓを越えない場合、と超える場合について、ムカデ１３の喫食率を調べた。
【００４１】
［餌剤処方］
餌剤１１ａの処方は、上記表１に示す通りとした。
【００４２】
［ムカデ用毒餌剤入り容器］
図３（ｂ）に示した歩行面部４１の高さＬを７ｍｍ、侵入口７１の横幅Ｗを２０ｍｍとしたムカデ用毒餌剤入り容器３３の容器本体３７を用いた。
そして、上記餌剤１１ａが傾斜部６１の成す傾斜角４５°の延長線上に形成される仮想延長面Ｓを越えないように約１ｇの量の餌剤１１ａを毒餌剤収容凹部３９に収容した容器本体３７（図６（ａ）（１）参照）と、仮想延長面Ｓを越える約５ｇの量の餌剤１１ａを毒餌剤収容凹部３９に収容した容器本体３７（図６（ｂ）（１）参照）とを用意した。
【００４３】
［試験方法］
縦５０ｃｍ、横３０ｃｍ、高さ４０ｃｍのプラスチック製のバット内に土を敷き、検体（約１ｇの餌剤１１ａを収容した容器本体３７と、約５ｇの餌剤１１ａを収容した容器本体３７）をバットの壁に沿わして設置した。
アオズムカデ１匹をバットの中に静かに放ち、壁沿いに歩く様子を観察した。
検体に接触したとき、餌剤１１ａを食べるか否かを確認した。
その結果を下記表４に示す。なお、表４中の「×」は検体の餌剤１１ａに接触したが食べなかった場合を示し、「○」は検体の餌剤１１ａに接触し食べた場合を示す。
【００４４】
【表４】
0006019010.tif 000005
【００４５】
表４に示すように、餌剤１１ａが傾斜部６１の成す傾斜角４５°の延長線上に形成される仮想延長面Ｓを越えないように毒餌剤収容凹部３９に収容されている場合は、喫食率が１００％であったのに対し、餌剤１１ａが傾斜部６１の成す傾斜角４５°の延長線上に形成される仮想延長面Ｓを越えるように毒餌剤収容凹部３９に収容されている場合は、喫食率が１７％であった。
【符号の説明】
【００４６】
１１…毒餌剤
１３…ムカデ
１９…載置面
３３…ムカデ用毒餌剤入り容器
３５…屋根体
３７…容器本体
３９…毒餌剤収容凹部
４１…歩行面部
６１…傾斜部
【図１】
0006019010.tif 000006
【図２】
0006019010.tif 000007
【図３】
0006019010.tif 000008
【図４】
0006019010.tif 000009
【図５】
0006019010.tif 000010
【図６】
0006019010.tif 000011